(57)【要約】【課題】病院等の病室等の屋内において、新型インフルエンザや鳥インフルエンザ等の強毒性の感染症患者を収容するに当り、周囲への感染拡大を防止することのできる屋内簡易設置型陰圧方式隔離室を提供する。【解決手段】収容患者のベッド１を含む空間部２全体を、組み立て、分解が容易な金属製もしくは合成樹脂製の骨組み材６と、気密度の高い合成樹脂製の可撓性を有する被覆シート８および敷きシート１０で密に包囲して密閉された居室３を形成し、且つ該居室３に乾式エアフィルタを備えた給気ユニット１１と排気ユニット１２とを連通し、前記給・排気ユニット１１・１２ともに風量調整を行うことにより、収容患者の居屋内陰圧度を維持しつつ、空気の高清浄度化を図り、抵抗力の弱まった収容患者の２次感染予防に対処することができるようにする。【選択図】図１
2011234929.tif 000002
【特許請求の範囲】
【請求項１】
収容患者のベッドを含む空間部全体を、組み立て、分解が容易な金属製もしくは合成樹脂製の骨組み材と、気密度の高い合成樹脂製の可撓性を有する被覆シートおよび敷きシートで密に包囲して、密閉された患者用の居室を形成し、且つ該居室には乾式エアフィルタと送風手段より成る風量調整機構を備えた給気および排気ユニットがそれぞれ連結され、且つ該居室内と屋内との差圧を１．５Ｐａから７Ｐａの範囲内に調整して、前記居室を陰圧状態に保持して、該居室から患者の病原菌に汚染された空気が外部へ漏洩しないよう形成する一方、分解が容易な金属製もしくは合成樹脂製の骨組み材と、気密度の高い合成樹脂製の可撓性を有する被覆シートおよび敷きシートで密に包囲して、密閉して形成された前室が前記居室に連結されて形成され、更に該前室には少なくとも１つの通過室を備えて、該通過室を経て前記居室から患者の病原菌に汚染された空気を前室内に漏洩することなく、病院従事者が前記居室に入室、または居室から退室できるようしたことを特徴とする屋内簡易設置型陰圧方式隔離室。
【請求項２】
請求項１記載の屋内簡易設置型陰圧方式隔離室において、給気ユニットは、上流側より下流側へ向けてプレフィルタ、０．３μｍ以上の微粒子を90％以上捕集できる準ＨＥＰAフィルタ、送風手段および０．３μｍ以上の微粒子を９９．９７％以上捕集することができるＨＥＰＡを備えて形成され、居室内に清浄空気を給気して、該居屋内の空気清浄度を高めることを特徴とする屋内簡易設置型陰圧方式隔離室。
【請求項３】
請求項２記載の屋内簡易設置型陰圧方式隔離室において、給気ユニットを構成する最終段のＨＥＰＡフィルタの上流側に、該最終段のＨＥＰＡフィルタの交換頻度を減らすよう、０．３μｍ以上の粒子に対する捕集性能として、１０％程度以内の捕集性能差を有する乾式エアフィルタを設置したことを特徴とする屋内簡易設置型陰圧方式隔離室。
【請求項４】
請求項１記載の屋内簡易設置型陰圧方式隔離室において、排気ユニットは、上流側より下流側へ向けてプレフィルタ、０．３μｍ以上の微粒子を９９．９７％以上捕集できるＨＥＰAフィルタおよび送風手段を備えて形成され、居室内の汚染空気を清浄空気として屋内に排気することを特徴とする屋内簡易設置型陰圧方式隔離室。
【請求項５】
請求項１記載の屋内簡易設置型陰圧方式隔離室において、排気ユニットは、上流側より下流側へ向けてプレフィルタ、送風手段および０．３μｍ以上の微粒子を９９．９７％以上捕集できるＨＥＰAフィルタを備えて形成され、居室内の汚染空気を清浄空気として屋内に排気することを特徴とする屋内簡易設置型陰圧方式隔離室。
【請求項６】
請求項１記載の屋内簡易設置型陰圧方式隔離室において、前室に補助給気ユニットを設置したことを特徴とする屋内簡易設置型陰圧方式隔離室。
【請求項７】
請求項１記載の屋内簡易設置型陰圧方式隔離室において、前室に補助給気ユニットが設置され、該補助給気ユニットの送風量が給気ユニットの役割を果たすとき、該給気ユニットを不要とすることを特徴とする屋内簡易設置型陰圧方式隔離室。
【請求項８】
収容患者のベッドを含む空間部全体を、組み立て、分解が容易な金属製もしくは合成樹脂製の骨組み材と、気密度の高い合成樹脂製の可撓性を有する被覆シートおよび敷きシートで密に包囲して、密閉された患者用の居室を形成し、且つ該居室にはエアフィルタと送風手段より成る風量調整機構を備えた給気および排気ユニットがそれぞれ連結され、且つ該居室内と屋内との差圧を１．５Ｐａから７Ｐａの範囲内に調整して、前記居室を陰圧状態に保持して、該居室から患者の病原菌に汚染された空気が外部へ漏洩することなく、通過部を介して病院従事者が前記居室に入室・または居室から退室できるように形成したことを特徴とする屋内簡易設置型陰圧方式隔離室。
【発明の詳細な説明】
【技術分野】
【０００１】
本発明は、病院等の病室等の屋内において、新型インフルエンザや鳥インフルエンザ等の強毒性の感染症患者を収容するに当り、周囲への感染拡大を防止することを目的として、屋内に簡単に設置することができる屋内簡易設置型陰圧方式隔離室に関するものである。
【背景技術】
【０００２】
従来、飛沫感染である結核患者を収容する場合には、結核病棟のような建物設備として部屋全体を陰圧構造にした隔離収容施設を利用していた。しかしながら、前記隔離収容施設は高額な建築設備であること、機械設備を含み大きなスペースを必要とすること等から、全国でも限られた病院にのみしか設置されていない状況である。
【０００３】
更に、新型のインフルエンザや、鳥インフルエンザ等の強毒性の感染症として流行が予想される場合、前記の結核病棟のような陰圧式収容設備の不足が問題となる。これらの事態に対応する製品としては、入院患者のベッド周りをカーテンブースで被い、高性能フィルタと排気ファンを内蔵したユニットのみを利用し、簡易的に陰圧隔離装置として製品化されているものもあるが、米国疾病管理センター（ＣＤＣ）のガイドラインで求められるような、換気回数や排気フィルタの捕集性能は満足していても、収容設備として充分な陰圧度を達成する能力が不足しており、その他にも病院従事者による診療行為において不都合があるもの、更には、収容患者の快適性を維持するには大きくかけ離れた製品がある等、多くの問題点があった。
【０００４】
一方、前記感染症の患者を収容する簡易隔離装置に関して、過去の特許文献を遡及検索したところ、下記の特許文献１・２に記載された装置が公知である。
【先行技術文献】
【特許文献】
【０００５】
【特許文献１】特開２００４−１４１２３９号公報
【特許文献２】特開平７−４６１号公報
【発明の概要】
【発明が解決しようとする課題】
【０００６】
前記特許文献１に記載された「患者隔離ユニット」は、折り畳み可能な枠体２と、組み立てられた枠体２に取り付け得るようにした可燃性樹脂シート製の可撓性被覆体３と、可撓性被覆体３内からの空気を排気するための排気ユニット５を備え、排気ユニット５は紫外線ランプ及びＨＥＰＡフィルタ並びに送風機を備えて形成されている。
【０００７】
しかしながら、前記特許文献１に記載された「患者隔離ユニット」は、患者の居室空間の排気に関して微小粒子捕集能力の高いＨＥＰＡフィルタを利用し、フィルトレーションを行い、単にバイオハザード的な感染拡大を防止するに過ぎず、また、可撓性被覆体３の下端縁部と床面とは封止されていないため、前記居室空間内は密閉された状態ではなく、排気ユニット５によって該居室空間屋内の空気を吸引することにより、ある程度の陰圧状態は維持されるが、とても充分な陰圧状態を維持できる状況ではなく、従って、前記居室空間から患者によって病原菌で汚染された空気が外部へ漏洩してしまうという課題があった。
【０００８】
更に、前記特許文献１に記載された「患者隔離ユニット」には、紫外線ランプが取付けてあるが、該紫外線ランプでは流れている空気中の菌を殺菌することが不可能であると共に、ＨＥＰＡフィルタに紫外線ランプからの紫外光が長時間照射されると、該ＨＥＰＡフィルタがボロボロになって破損してしまうという課題があった。
【０００９】
また、特許文献２に記載された「患者隔離装置」は、外部フレーム、フレームから吊るされかつフレーム内で下げられ好ましくは使捨て式の可撓性の被覆体であって、底部、頂部、２個の側部、前壁部分及び後壁部分を有し、側部の一方又は前壁部分に患者の入室を許す閉鎖可能な入り口手段が取り付けられた被覆体；空気から感染性粒子を濾過除去するようにされかつポンプ手段によりフィルター手段を経て被覆体から空気が引かれるようにポンプ手段と共同作用するようにされた一体のフィルター手段が取り付けられた壁部分の一方の開口部、及び囲いの外側から内側への一方向の空気の通過を許す弁手段を備えた患者隔離装置である。
【００１０】
しかしながら、前記特許文献２の「患者隔離装置」は、前記特許文献１と同様に、被覆体１４と床面とは封止されていないため、囲い１０内は密閉された状態ではなく、ポンプ手段５０により囲い１０内の空気を吸引することにより、ある程度の陰圧状態は維持されるが、とても充分な陰圧状態を維持できる状況ではなく、従って前記居室空間から患者の病原菌を含んだ汚染空気が外部へ漏洩するという課題があった。
【００１１】
更に、特許文献２記載の「患者隔離装置」は、囲い１０内の空気を外部へフィルタリングして排気する排気ファンしか備えておらず、囲い１０内において風量調整による陰圧度調整機構が備えられていないので、居屋内の陰圧度を充分維持することができず、患者の病原菌を含んだ汚染空気が外部へ漏洩してしまうという課題があった。
【００１２】
本発明は、前記課題を解決すべくなされたものであって、収容患者のベッドを含む空間部全体を、組み立て、分解が容易な金属製もしくは合成樹脂製の骨組み材と、気密度の高い合成樹脂製の可撓性を有する被覆シートおよび敷きシートで密に包囲して、密閉された患者用の居室を形成し、且つ該居室には乾式エアフィルタを備えた給気ユニットと排気ユニットとを前記居室にそれぞれ連通し、且つ該給・排気ユニットともに風量調整を行うことにより、収容患者の居屋内陰圧度を維持しつつ、更に前記給気ユニットにおいても、排気ユニットと同様の乾式エアフィルタを使用して、空気の高清浄度化を図り、抵抗力の弱まった収容患者の２次感染予防に対処することができるようにした屋内簡易設置型陰圧方式隔離室を提供しようとするものである。
【課題を解決するための手段】
【００１３】
本発明は、収容患者のベッドを含む空間部全体を、組み立て、分解が容易な金属製もしくは合成樹脂製の骨組み材と、気密度の高い合成樹脂製の可撓性を有する被覆シートおよび敷きシートで密に包囲して、密閉された患者用の居室を形成し、且つ該居室には乾式エアフィルタと送風手段より成る風量調整機構を備えた給気および排気ユニットがそれぞれ連結され、且つ該居室内と屋内との差圧を１．５Ｐａから７Ｐａの範囲内に調整して、前記居室を陰圧状態に保持して、該居室から患者の病原菌に汚染された空気が外部へ漏洩しないよう形成する一方、分解が容易な金属製もしくは合成樹脂製の骨組み材と、気密度の高い合成樹脂製の可撓性を有する被覆シートおよび敷きシートで密に包囲して、密閉して形成された前室が前記居室に連結されて形成され、更に該前室には少なくとも１つの通過室を備えて、該通過室を経て前記居室から患者の病原菌に汚染された空気を前室内に漏洩することなく、病院従事者が前記居室に入室、または居室から退室できるよう構成することにより、上記課題を解決した。
【発明の効果】
【００１４】
前記構成より成る本発明によれば、収容患者のベッドを含む空間部全体を、組み立て、分解が容易な金属製もしくは合成樹脂製の骨組み材と、気密度の高い合成樹脂製の可撓性を有する被覆シートおよび敷きシートで密に包囲して、密閉された患者用の居室、および該居室に連結して居室への通過路となる前室が、病院等の屋内に極めて簡単に、且つ迅速に設置できると共に、給気ユニットと排気ユニットとが前記居室にそれぞれ連通され、且つ該給・排気ユニットともに風量調整を行って、収容患者の居屋内陰圧度を維持することにより、居室内からの病原菌に汚染された空気の屋内への漏洩が防止され、更に前記給気ユニットにおいても、排気ユニットと同様の乾式エアフィルタを使用して、空気の高清浄度化を図り、抵抗力の弱まった収容患者の２次感染予防を図ることができる。
【図面の簡単な説明】
【００１５】
【図１】本発明屋内簡易設置型陰圧方式隔離室の第１の実施例を一部を切欠いて示す全体の概略斜視図である。
【図２】同組立分解斜視図である。
【図３】同平面図である。
【図４】同底面部分の縦断面図である。
【図５】本発明屋内簡易設置型陰圧方式隔離室の第２の実施例をを一部を切欠いて示す全体の概略斜視図である。
【図６】同平面図である。
【図７】本発明屋内簡易設置型陰圧方式隔離室の第３の実施例をを一部を切欠いて示す全体の概略斜視図である。
【実施例】
【００１６】
本発明の第１の実施例を図面に基づいて詳細に説明する。本発明屋内簡易設置型陰圧方式隔離室は、病院等の病室等の屋内において、簡易的に設置されるものであって、患者のベッド１、および該ベッド１周辺に医者等の病院従事者が診療行為のために移動できる空間部２全体を被覆して患者用の居室３を形成する被覆体４と、該被覆体４の一側に、前記居室３内に病院従事者が入室したり、あるいは該居室３から退室するとき、該居室３から患者の病原菌を含んだ汚染空気が、外部（病院等の病室等の屋内）へ漏洩するのを防止するための前室５を連設して構成されている。
【００１７】
前記居室３を形成する被覆体４は、組み立て、分解が容易な金属製もしくは合成樹脂製のパイプ状、または棒状の骨組み材６を立方体枠状に接合固定して被覆枠体７を形成し、且つ該被覆枠体７の４つの側面を構成する側部枠体７ａの外周を、例えばビニールシートのような、可撓性を有し、且つ気密性の高い合成樹脂製の被覆シート８で包囲して、その両切断端縁部を重ね合わせ固定すると共に、該被覆シート８の下端部を前記被覆枠体７の底面を構成する方形枠状の底部枠体７ｂの内側に折り曲げて、その先方部を内側方向に延設して折曲片８ａを形成する一方、前記被覆枠体７の上面を構成する方形枠状の上部枠体７ｃに、該上部枠体７ｃの上方より被覆できるように、前記被覆シート８と同一素材のシートで逆凹状に形成した逆凹状被覆シート９を、前記上部枠体７ｃの上方より被覆して、該被覆シート８の上部外周面に摺接し、更に、前記底部枠体７ｂの内側に折り曲げた折曲片８ａを含む床面上に、比較的厚くて重量のある敷きシート１０を敷設することにより、前記折曲片８ａを上方より押圧して床面上に圧着して、居室３内の密閉状態を保持するようにして形成されている。
【００１８】
なお、前記骨組み材６は、特に限定する必要はないが、好ましくは、被覆シート８および逆凹状被覆シート９と接する面が湾曲面に形成されていることが推奨される。湾曲面とすることにより、前記各シート８、９が後述する給気ユニット１１および排気ユニット１２の給・排気により、膨張または収縮しても破損する虞れはない。更に、前記被覆シート８は、屋内から居室３内の患者が視認できるよう透明なシートで形成することが好ましいが、ベッド１上の患者の心理状態を考慮して、簡単に屋内より覗けないように下半分程度を不透明としてもよい。
【００１９】
そして、前記構成より成る被覆シート８・９および敷きシート１０により被覆された居室３外には、該居室３と連通する風量調整機構を備えた給気ユニット１１および排気ユニット１２がそれぞれ設置され、該給気ユニット１１および排気ユニット１２の給・排気を調整することにより、前記居室３内と外部との差圧を１．５Ｐａ〜７Ｐａの範囲内に設定することができるよう形成されている。
【００２０】
前記給気ユニット１１は、乾式エアフィルタにより病院における病室等の屋内空気を清浄空気として居室３内に送気するものであって、特に限定する必要はないが、好ましくは、乾式エアフィルタより成るプレフィルタ１３、準ＨＥＰAフィルタ１４およびＨＥＰＡフィルタ１５並びに送風手段１６となるファンを備えて形成することが推奨される。そして、特に好ましくは、図３に示すように、上流側から下流側へ向けてプレフィルタ１３、０．３μｍ以上の微粒子を９０．００％以上捕集することができる準ＨＥＰＡフィルタ１４、送風手段１６となるファンおよび０．３μｍ以上の微粒子を９９．９７％以上捕集することができるＨＥＰＡフィルタ１５を順に設置して形成することが推奨される。なお、図中、１７は、前記給気ユニット１１と居室３とを連通して、清浄空気を該居室３内に給気する給気管である。
【００２１】
前記のように、給気ユニット１１は、上流側からプレフィルタ１３、準ＨＥＰＡフィルタ１４およびＨＥＰＡフィルタ１５の順に設置することにより、病院屋内の種々の病原菌により汚染された空気から病原菌を捕集して、清浄空気として居室３内に給気することができる。また、最終段のＨＥＰＡフィルタ１５の上流側に、プレフィルタ１３、および０．３μｍ以上の微粒子に対する捕集性能として、該ＨＥＰＡフィルタ１５より１０％程度以内の捕集性能差を有する準ＨＥＰＡフィルタ１４を配置することにより、患者を収容する居室内に面した最終段のＨＥＰＡフィルタ１５の交換頻度を減らすことができる。
【００２２】
また、前記排気ユニット１２は、居室３内の患者の病原菌を含んだ汚染空気を、無菌の清浄空気として該居室３外の屋内へ排気するものであって、乾式エアフィルタより成るプレフィルタ１８およびＨＥＰＡフィルタ１９並びに送風手段２０を備えて形成されている。前記排気ユニット１２は、特に限定する必要はないが、図３に示すように、上流側から下流側へ向けてプレフィルタ１８、０．３μｍ以上の微粒子を９９．９７％以上捕集するＨＥＰＡフィルタ１９および送風手段２０となるファンを順に設置して形成してもよいし、または、図示していないが、前記排気ユニット１２を、上流側から下流側へ向けてプレフィルタ１８、送風手段２０となるファンおよび０．３μｍ以上の微粒子を９９．９７％以上捕集するＨＥＰＡフィルタ１９を順に設置して形成してもよい。なお、図中、２１は、前記排気ユニット１２と居室３とを連通して、該居室３内の汚染空気を、前記排気ユニット１２に排気する排気管である。  
【００２３】
前記のように、排気ユニット１２は、上流側からプレフィルタ１８およびＨＥＰＡフィルタ１９の順に設置することにより、居室３の患者の病原菌により汚染された空気から病原菌を捕集して、無菌の清浄空気として屋内に排気することができる。また、ＨＥＰＡフィルタ１９の上流側にプレフィルタ１８を設置することにより、該ＨＥＰＡフィルタ１９の交換頻度を減らすことができる。
【００２４】
そして、前記給気ユニット１１および排気ユニット１２を居室３に連結することにより、例えば、給気ユニット１１から給気する風量を、排気ユニット１２から排気する風量の７０〜８０％程度の風量に調整すると、居室３内と屋内間に差圧を形成することができ、居室３内を適切な陰圧空間に調整することができる。すなわち、前記給気ユニット１１と排気ユニット１２の給・排気を適宜調整することにより、前記居室３内を、前記アメリカのＣＤＣガイドラインに示す、結核病棟なみの２．５Ｐａ以上の陰圧度を含む、少なくとも１．５Ｐａ〜７Ｐａの範囲内に陰圧度を調整することができる。
【００２５】
更に、前記構成より成る被覆体４によって被覆されると共に、前記１．５Ｐａ〜７Ｐａの範囲内の陰圧度に保たれた居室３内に、病院従事者が前記陰圧度を維持したまま、入室および退室できるようにするため、該居室３の外側には前室５が設置されている。
【００２６】
前記前室５は、前記被覆体４を構成する被覆シート８の一側面に連通して形成されており、前記骨組み材６と同一素材により小型の立方体枠状に接合固定して前室用被覆枠体２３を形成し、且つ該前室用被覆枠体２３の４つの側面を構成する側部枠体２３ａの外周を、前記居室３の被覆シート８と同一素材より成る被覆シート２４で包囲して、その両切断端縁部２４ａを後述する第１の通過室２５ａの入口側開口部２６に位置せしめ、且つ該被覆シート２４の下端部を前記前室用被覆枠体２３の底面を構成する方形枠状の底部枠体２３ｂの内側に折り曲げて、その先方部を内側方向に延設して折曲片２４ｂを形成する一方、前記被覆枠体２３の上面を構成する方形枠状の上部枠体２３ｃに、該上部枠体２３ｃの上方より被覆できるように、前記被覆シート２４と同一素材のシートで逆凹状に形成した逆凹状被覆シート２７を、前記上部枠体２３ｃの上方より被覆して、該被覆シート２４の上部外周面に摺接し、更に、前記底部枠体２３ｂの内側に折り曲げた折曲片２４ｂを含む床面上に、比較的厚くて重量のある敷きシート２８を敷設することにより、前記折曲片２４ｂを上方より押圧して床面上に圧着して、前室５内の密閉状態を保持するようにして形成されている。
【００２７】
なお、前記前室用被覆枠体２３を構成する底部枠体２３ｂの入口側開口部２６に位置する骨組み材６は、前記前室５の第１の通過室２５ａへの入室および退室時の障害となるので、図１〜図２に示すように設置しない方が好ましい。
【００２８】
そして、前記前室用被覆枠体２３により形成された前室５は、複数の通過室２５を備えているが、前記前室５を構成する複数の通過室２５（図１〜図３においては２つの通過室が図示されている）は、第１の通過室２５ａの入口側開口部２６に位置する前記両切断端縁部２４ａを備えた被覆シート２４を、上下に切断した遮蔽シート２９ａとして、上部枠体２３ｃに上端を固着して垂設すると共に、該第１の通過室２５ａに連らなる第２の通過室２５ｂは、その入口部に病院従事者が入室または退室できるだけの間隔を有して、前記第１の通過室２５ａを遮蔽する遮蔽シート２９ｂを上下に切断して２分割して、前記上部枠体２３ｃに架設された補助骨組み材２３ｄに上端を固着して垂設されて形成されている。
【００２９】
更に、前記第１・第２の通過室２５ａ・２５ｂの各遮蔽シート２９ａ・２９ｂの上下に切断した両切断端縁部２４ａに、スライドファスナー３０の雄条帯と雌条帯とを対面して固着し、該スライドファスナー３０の開閉操作をすることにより、病院従事者の入室・退室時に居室３内の空気が外部に漏洩しないよう形成されている。また、図示していないが、前記スライドファスナー３０を使用することなく、簡易的に前記両切断端縁部２４ａを単に重ね合わせて接合するだけでも、その目的を達成することができる。
【００３０】
そして、前記前室５の第２の通過室２５ｂから病院従事者が居室３内に入室または退室することができるようにするため、該第２の通過室２５ｂと前記被覆シート８とは密に連通されている。前記第２の通過室２５ｂと被覆シート８との連通方法は、特に限定する必要はないが、好ましくは、図１〜図３に示すように形成することが推奨される。
【００３１】
すなわち、前記被覆シート８に面する第２の通過室２５ｂ側の被覆シート２４を、病院従事者が通過できる高さおよび巾に切断して通過開口３１を形成すると共に、該通過開口３１の開口縁部にスライドファスナー３２の雄条帯３２ａを周設する一方、前記通過開口３１に面する被覆シート８に前記スライドファスナー３２の雄条帯３２ａに対面して、該雄条帯３２ａに係合する雌条帯３２ｂを周設し、更に、前記雌条帯３２ｂに囲繞された被覆シート８を上下に切断して２分割して、遮蔽シート３３とし、更に、該遮蔽シート３３の２分割面に、それぞれスライドファスナー３４の雄条帯と雌条帯とを対面して固着して形成されている。また、図示していないが、前記スライドファスナー３４を使用することなく、簡易的に前記遮蔽シート３３の２分割面を単に重ね合わせて接合するだけでも、その目的を達成することができる。
【００３２】
前記構成より成る本発明第１の実施例による屋内簡易設置型陰圧方式隔離室の作用について説明する。病院等の屋内に簡単に組み立て設置された本発明隔離室の密閉された居室３にベッド１を設置し、給気ユニット１１および排気ユニット１２を作動させて、該給気ユニット１１の給気風量より排気ユニット１２の排気風量を大として、その差圧分だけ居室３内を陰圧状態に保持することができるように風量調整をして、その後、感染症患者を収容する。そして、前記給気ユニット１１より居室３内に清浄空気を給気すると共に、該居室３内の患者の病原菌を含む汚染空気中の病原菌を、前記排気ユニット１２を構成するＨＥＰＡフィルタ１９により捕集して、無菌の清浄空気として屋内へ排気することにより、周囲への感染拡大の防止を図ることができる。
【００３３】
また、前記居室３内は屋内より陰圧状態に保持されているので、該居室３内より屋内に、前記居室３内の患者の病原菌を含む汚染空気が漏洩することがない。
【００３４】
一方、前記居室３内に隔離された感染症患者に診療行為をするに際し、該居室３内に病院従事者が入室する場合は、該病院従事者が前室５の第１の通過室２５ａの入口開口部２６における遮蔽シート２９ａのスライドファスナー３０、または前記図示していない重ね合わせ部を開放して、該第１の通過室２５ａに入室し、然る後、前記遮蔽シート２９ａのスライドファスナー３０、または前記図示していない重ね合わせ部を閉鎖して屋内と遮断する。
【００３５】
次に、第２の通過室２５ｂの遮蔽シート２９ｂのスライドファスナー３０、または前記図示していない重ね合わせ部を開放して、該第２の通過室２５ｂに入室し、然る後、前記遮蔽シート２９ｂのスライドファスナー３０、または前記図示していない重ね合わせ部を閉鎖して、前記第１の通過室２５ａと遮断する。
【００３６】
そして、前記第２の通過室２５ｂに入室した病院従事者は、居室３に通じる通過開口３１の遮蔽シート３３のスライドファスナー３４、または前記図示していない重ね合わせ部を開放して、該居室３内に入室し、然る後、該スライドファスナー３４、または前記図示していない重ね合わせ部を閉鎖する。これにより、病院従事者は、屋内から密閉状態を維持された前室５を経て居室３内へ入室して、患者に治療等、診療行為を施すことができる。なお、前記病院従事者の入室に当たって、居室３内は陰圧状態に保持されているため、該居室３内より前室５内に患者の病原菌を含む汚染空気が漏洩することがない。
【００３７】
そして、前記居室３内において、患者に治療等、診療行為を施こした後の病院従事者は、前記入室とは逆の操作をすることにより、第２の通過室２５ｂおよび第１の通過室２５ａを経て退室して屋内へ戻る。
【００３８】
図５は、本発明屋内簡易設置型陰圧方式隔離室の第２の実施例を示す全体の概略斜視図、図６は同平面図である。前記図１〜図３に示す第１の実施例が、給気ユニット１１と排気ユニット１２がそれぞれ居室３に連結されているのに対し、図５〜図６に示す第２の実施例のものは、前記給気ユニット１１と排気ユニット１２とがそれぞれ居室３に連結されていると共に、更に前記前室５の第１の通過室２５ａまたは第２の通過室２５ｂのいずれかに補助給気ユニット３５が連結されて（図５〜図６においては、第１の通過室２５ａに連結されている）形成されている。なお、補助給気ユニット３５からの送風量が給気ユニット１１の役割を充分に満たす場合は、給気ユニット１１をなくしてもよい。
【００３９】
前記補助給気ユニット３５の構成は、前記居室３に連結された給気ユニット１１と同一構成であることが推奨されるが、乾式エアフィルタはプレフィルタと準ＨＥＰAフィルタ、もしくはプレフィルタとＨＥＰAフィルタのいずれか２段の構成であってもよい。また、その取付手段は、特に限定する必要はないが、好ましくは、図５〜図６に示すように、前記前室５を構成する前室用被覆枠体２３の上部枠体２３ｃ上に、補強杆３６を設置して、該補強杆３６上に設置することが推奨される。
【００４０】
前記補助給気ユニット３５は、前室５の第１の通過室２５ａ内、または第２の通過室２５ｂ内のいずれかに、補助給気ユニット３５を介して、屋内の空気を清浄化して清浄空気として給気することにより、該前室５から病院従事者が居室３へ入室または退室するとき、該居室３内へ流入する空気を清浄空気とすることができるので、屋内の病原菌の該居室３への侵入を防ぎ、患者の更なる罹患を阻止することができる。
【００４１】
なお、図示していないが、本発明隔離室は簡易に居室３内を陰圧状態とすることができるが、前記補助ユニット３５からの送風が前記居室３の下方の裾部分より該居室３内に送風される場合もあり、その送風量が前記給気ユニット１１の役割を充分に果たす場合は、該給気ユニット１１は不要である。
【００４２】
そしてまた、図７は、本発明屋内簡易設置型陰圧方式隔離室の第３の実施例を示す全体の概略斜視図である。第３の実施例は、前記第１〜第２の実施例のものと比較して簡易形の隔離室であって、前室５を取去ったものである。
【００４３】
第３の実施例における隔離室は、居室３の構成が、前記第１〜第２の実施例のものと同一構成であるので、同一符号を用いて説明するが、同一符号の構成および作用については、前記記載を援用しその詳細な説明を省略する。すなわち、第３の実施例に示す隔離室は、被覆体４の被覆シート８の４つの側壁面のうち、いずれか１つの側壁面８ｂに病院従事者が入室・退室する際に使用する通過部３７が形成されている。
【００４４】
前記通過部３７は、居室３の被覆シート８の１つの側壁面８ｂの一端部に設置すればよいので、前記被覆シート８を上下に切断して２分割して遮蔽シート３８を形成し、更に該遮蔽シート３８の２分割面には、それぞれスライドファスナー３９の雄条帯と雌条帯とを対面して固着して、該スライドファスナー３９の開閉操作をすることにより、病院従事者の入室・退室時に居室３内の空気が外部に漏洩しないよう形成されている。    
【００４５】
また、本発明屋内簡易設置型陰圧方式隔離室は、屋内の温調済みの空調空気を吸引するため、新たに大規模な温調用空調機を設備する必要がなく、一般病室や極端にいえば体育館のような屋内施設にも、急造の感染症隔離病室としての組み立てが可能である。
【符号の説明】
【００４６】
１  患者のベッド
２  空間部
３  居室
４  被覆体
５  前室
６  骨組み材
７  被覆枠体
７ａ  側部枠体
７ｂ  底部枠体
７ｃ  上部枠体
８  被覆シート
８ａ  折曲片
８ｂ  側壁面
９  逆凹状被覆シート
１０  敷きシート
１１  給気ユニット
１２  排気ユニット
１３  プレフィルタ
１４  準ＨＥＰAフィルタ
１５  ＨＥＰAフィルタ
１６  送風手段
１７  給気管
１８  プレフィルタ
１９  ＨＥＰAフィルタ
２０  送風手段
２１  排気管
２３  前室用被覆枠体
２３ａ側部枠体
２３ｂ底部枠体
２３ｃ上部枠体
２３ｄ  補助骨組み材
２４  被覆シート
２４ａ  両切断端縁部
２４ｂ  折曲片
２５  通過室
２５ａ  第１の通過室
２５ｂ  第２の通過室
２６  入口側開口部
２７  逆凹状被覆シート
２８  敷きシート
２９ａ  遮蔽シート
２９ｂ  遮蔽シート
３０  スライドファスナー
３１  通過開口
３２  スライドファスナー
３２ａ  雄条帯
３２ｂ  雌条帯
３３  遮蔽シート
３４  スライドファスナー
３５  補助給気ユニット
３６  補強杆
３７  通過部
３８  遮蔽シート
３９  スライドファスナー
【図１】
2011234929.tif 000003
【図２】
2011234929.tif 000004
【図３】
2011234929.tif 000005
【図４】
2011234929.tif 000006
【図５】
2011234929.tif 000007
【図６】
2011234929.tif 000008
【図７】
2011234929.tif 000009